(57)【要約】      （修正有）【課題】円板状体排除手段により、メダル類又は硬貨類が円板状体搬送装置本体外へ排除されるため、無端ベルトの損傷又は切断及びプーリの破損、駆動モータの焼損のトラブルを未然に防ぐことが出来る円板状体搬送装置を提供する。【解決手段】円板状体搬送装置は、搬送フレームの一端に従動プーリと、他端に駆動プーリと、両プーリ間に無端ベルトを巻回して張架させ、その間に円板状体受入口と、駆動プーリに近接して円板状体排出口を設け、従動プーリまたは駆動プーリの何れか一方が遊技台ユニットの外側にあって、隣接する上流側の円板状体搬送装置の駆動プーリ下部、または下流側の円板状体搬送装置の従動プーリ上部に位置すると共に、前記搬送フレームの搬送面を、前記無端ベルトを支持するフラット面と、円板状体排出口を設けて成る傾斜部を形成し、前記円板状体排出口は、無端ベルトの裏面と搬送フレームの搬送面との隙間に侵入した円板状体を排出する。【選択図】図３
2006314825.tif 000002
【特許請求の範囲】
【請求項１】
遊技台と遊技媒体貸出機とが隣接し、一対で備える遊技台ユニットの下方内部に傾斜状態に装着する円板状体搬送装置であって、
前記円板状体搬送装置は、搬送フレームの一端にテンション機構を備えた従動プーリと、他端に駆動モータを備えた駆動プーリと、両プーリ間に無端ベルトを巻回して張架させ、その間に円板状体受入口と、駆動プーリに近接して円板状体排出口を設け、
前記従動プーリまたは駆動プーリの何れか一方が遊技台ユニットの外側にあって、隣接する上流側の円板状体搬送装置の駆動プーリ下部、または下流側の円板状体搬送装置の従動プーリ上部に位置すると共に、前記搬送フレームの搬送面を、前記無端ベルトを支持するフラット面と、円板状体排出口を設けて成る傾斜部を形成し、
前記円板状体排出口は、無端ベルトの裏面と搬送フレームの搬送面との隙間に侵入した円板状体を排出することを特徴とする円板状体搬送装置。
【発明の詳細な説明】
【技術分野】
【０００１】
本発明は、搬送フレームの一端と他端にプーリを回転自在に軸支し、該プーリに無端ベルトを巻回して張架させ、他端側に設けた駆動モータにて無端ベルトを駆動させるように成した円板状体搬送装置に関わり、さらに詳しくは遊技台（例えば、パチスロ台）から排出する円板状体（メダル類）又は遊技媒体貸出機から排出する円板状体（硬貨類）を遊技島端部まで回収する円板状体搬送装置であって、任意の位置に設けた円板状体排除手段により前記無端ベルトの裏面に侵入した円板状体（メダル類又は硬貨類）等を排除することを可能にした円板状体排除手段付き円板状体搬送装置に関するものである。
【背景技術】
【０００２】
通常、遊技店の遊技島においては複数の遊技台と遊技媒体貸出機とが隣接して並設されている。さらに遊技台と遊技媒体貸出機とから成る遊技島内部には種々の遊技設備が備えられている。例えば、遊技台に隣接した位置に貨幣台間玉貸機を設置した場合、該貨幣台間玉貸機に投入された円板状体の硬貨類（例えば、１００円又は５００円）を遊技島端部まで回収搬送する必要があり、該貨幣台間玉貸機の背面に種々の構成の円板状体搬送装置が設けられている。一方、遊技島に設置する遊技台を例えばパチスロ台とした場合、該パチスロ台内部のメダル類貯留部に上方位置から補給する時又はメダル類貯留部から溢れた円板状体のメダル類を遊技島端部まで下方位置で回収搬送する必要があり、該パチスロ台の近傍に種々の構成の円板状体搬送装置が設けられている。
【０００３】
前記貨幣台間玉貸機の背面に設けられた円板状体搬送装置の構成は、一般的には搬送フレームの一端と他端にプーリを回転自在に軸支し、該プーリに遊技島と略同じの長さを有した一本の水平状から成る無端ベルトを巻回して張架させ、他端側に設けた駆動モータにて前記無端ベルトを駆動させるように成して、島端部に設けた円板状体回収箱まで円板状体の硬貨類を回収搬送させるように成している。
【０００４】
また、前記パチスロ台の近傍に設けられ、該パチスロ台の内部のメダル類貯留部に上方位置から補給する、又はメダル類貯留部から溢れた円板状体のメダル類を遊技島端部まで下方位置に回収搬送する遊技媒体搬送装置の構成は、例えば搬送フレームの一端と他端にプーリを回転自在に軸支し、該プーリに遊技島と略同じの長さを有した一本の水平状から成る無端ベルトを巻回して張架させ、他端側に設けた駆動モータにて前記無端ベルトを駆動させるように成して、島端部に設けた円板状体回収箱で円板状体のメダル類を回収搬送させる形態から成る構成のものや、搬送フレームの一端と他端にプーリを回転自在に軸支し、該プーリに遊技台及び遊技媒体貸出機を装着した遊技台ユニットの下方内部に該遊技台ユニットと略同じ長さを有した水平又は傾斜状態（例えば、右上がり傾斜状態）から成る無端ベルトを巻回して張架させ、他端側に設けた駆動モータにて前記無端ベルトを駆動させる形態の構成ものとから成している。ここでの円板状体搬送装置は、遊技台ユニットと略同一長さとしたため、該円板状体搬送装置は、隣接する遊技台ユニットの円板状体搬送装置の端部を順次連接することにより、円板状体のメダル類は順次下流側の円板状体搬送装置に受け渡し（移り変わっていく）、これを繰り返して島端まで回収搬送したり、又は島端から各遊技台及び各遊技媒体貸出機へ補給したりしている。
【発明の開示】
【発明が解決しようとする課題】
【０００５】
しかしながら、上記した何れの形態の円板状体搬送装置においても、円板状体であるメダル類又は硬貨類が誤って乗載している側（上側）の無端ベルトの裏面に回り込んで（侵入）しまいトラブルが発生してしまう課題があった。つまり、搬送フレームの一端と他端にプーリを回転自在に軸支し、該プーリに一本の水平又は傾斜状から成る無端ベルトを巻回して張架させているため、施工時において不慣れな作業員による無端ベルトの張架調整ミスや長年使用していると無端ベルトの張りが次第に撓み所々で無端ベルトと搬送フレームとの間に隙間が生じてしまうことがある。
【０００６】
この撓んだ状態の無端ベルトと搬送フレームとの間の隙間に円板状体のメダル類又は硬貨類が侵入して隙間に潜り込んだ状態のまま搬送方向先端にあるプーリ付近まで搬送してしまうとプーリと無端ベルト（迂回箇所）に潜り込んだメダル類又は硬貨類が詰まり無端ベルトが正常に駆動しなくなる。この状態においては無端ベルト、駆動モータに負荷がかかってしまい、無端ベルトが損傷又は切断したり、駆動モータの焼損のトラブル（故障等）を招き、円板状体搬送装置が正常に機能しなくなる。その結果、営業中においてその遊技島に設置した円板状体搬送装置が停止してしまうと、遊技台又は遊技媒体貸出機もその間使用中止となり、修復するにあたっても顧客に離席してもらう等しなくてはならず、顧客に多大の迷惑をかけてしまう課題があり、早期に改善するよう遊技店側から要望されていた。
【０００７】
また、貨幣台間玉貸機の背面に設けられた円板状体搬送装置の場合、無端ベルトの裏面に侵入した硬貨類によって投入金額と回収した金額の売り上げ額が合わないという課題もあり。さらに、上記遊技島内部に設置され円板状体搬送装置の搬送フレームは図示しないが盗難防止等を考慮して蓋部で覆われており、無端ベルトの隙間に円板状体のメダル類又は硬貨類が挟まっている状態が発見し難く、未然に防止（無端ベルトの撓み状態を発掘）することが難しいという課題が指摘されていた。
【０００８】
本発明の目的は、円板状体搬送装置において円板状体のメダル類又は硬貨類を搬送フレーム内の無端ベルトに乗載して搬送する際、該無端ベルトの隙間から裏面に円板状体のメダル類又は硬貨類が侵入して搬送端部まで搬送しても、搬送先の他端側のプーリの直前の任意の位置に設けた円板状体排除手段により、該円板状体のメダル類又は硬貨類が円板状体搬送装置本体外（外部）へ排除されるため、無端ベルトの損傷又は切断及びプーリの破損、駆動モータの焼損のトラブル（故障等）を未然に防ぐことが出来る円板状体排除手段付き円板状体搬送装置を提供するものである。
【課題を解決するための手段】
【０００９】
上記、目的を達成するため請求項１は、遊技台と遊技媒体貸出機とが隣接し、一対で備える遊技台ユニットの下方内部に傾斜状態に装着する円板状体搬送装置であって、前記円板状体搬送装置は、搬送フレームの一端にテンション機構を備えた従動プーリと、他端に駆動モータを備えた駆動プーリと、両プーリ間に無端ベルトを巻回して張架させ、その間に円板状体受入口と、駆動プーリに近接して円板状体排出口を設け、前記従動プーリまたは駆動プーリの何れか一方が遊技台ユニットの外側にあって、隣接する上流側の円板状体搬送装置の駆動プーリ下部、または下流側の円板状体搬送装置の従動プーリ上部に位置すると共に、前記搬送フレームの搬送面を、前記無端ベルトを支持するフラット面と、円板状体排出口を設けて成る傾斜部を形成し、前記円板状体排出口は、無端ベルトの裏面と搬送フレームの搬送面との隙間に侵入した円板状体を排出する円板状体搬送装置である。
【発明の効果】
【００１０】
以上の説明で明らかなように、本発明の請求項１記載の円板状体搬送装置によれば、円板状体のメダル類又は硬貨類を円板状体搬送装置の搬送フレーム内に乗載している搬送する途中において撓んだ生じた隙間から円板状体のメダル類又は硬貨類が無端ベルトの裏面に侵入して（潜り込んで）も、搬送方向一端又は他端のプーリの直前に設けた円板状体排除手段により外部に排除されるためプーリ側に搬送されることがなくなる。従って、無端ベルトの裏面に侵入した円板状体のメダル類又は硬貨類のために無端ベルトが損傷、切断したりすることなく、プーリも破損せず、駆動モータが焼損したりするトラブル（故障）が未然に防止される。よって、円板状体搬送装置によるトラブルが完全になくなり、遊技台又は遊技媒体貸出機も使用中止にすることなく、修復するにあたっても顧客に離席してもらう等、顧客に迷惑をかけることがなく営業することが出来る効果を有している。加えて、遊技台ユニット毎に各円板状体搬送装置が設けられているため修復作業が極めて軽減される効果は大である。
【発明を実施するための最良の形態】
【００１１】
以下、本発明の実施例の形態を図面に基づいて詳述する。以下、本発明の実施例の形態を図面に基づいて詳述する。図１は、遊技台ユニットを並設した遊技島に該遊技台ユニットと略同一長さの円板状体搬送装置を備えた正面図である。尚、ここでは遊技台と遊技媒体貸出機とを装着した遊技台ユニットでの説明としたが遊技台ユニットに装着しない遊技台と遊技媒体貸出機とを遊技島に配設したものであっても良い。
【００１２】
始めに、遊技台ユニット２に円板状体搬送装置１０に設けた構成について説明する。先ず、遊技台ユニット２の構成について簡単に説明する。遊技台ユニット２は、図１に示すように長方体から成る遊技台枠４内に遊技台１（例えば、パチスロ台）と遊技媒体貸出機３（例えば、右側の位置に台間メダル類貸出機）とが隣接し一対で備えることが出来る大きさから形成されている。該遊技台ユニット２の側面には隣り合う左右の遊技台ユニットと連結する連結手段（図示せず）が設けられ、レイアウト自在と成している。遊技台ユニット２の遊技台枠４内に遊技台１を設置すると該遊技台１内部のメダル類貯留部１ａから溢れた円板状体のメダル類Ｍを回収する必要がある。図１に示すように遊技台枠４内の下方内部に遊技台ユニット２（遊技台枠）と略同一幅（長さ）で且つ傾斜状態（例えば、右上がり傾斜状態）の円板状体搬送装置１０を下方内部に設けて回収するようにしたものである。該円板状体搬送装置１０は、遊技台枠４の側面フレームに設けたＬ字形状の取付け金具（図示せず）にて装着自在と成すように取付けられている。
【００１３】
尚、ここでの円板状体搬送装置１０は、遊技台１の内部のメダル類貯留部１ａから溢れた円板状体のメダル類Ｍを回収する用途に採用した説明としたが、遊技台枠４内の上方内部に傾斜状態（例えば、左上がり傾斜状態）の円板状体搬送装置１０を上方内部に設けて島端のメダル類供給部（図示せず）から各遊技台ユニット２のメダル類貯留部１ａに補給する用途に採用しても良い。また、円板状体搬送装置１０は、遊技台ユニット２と略同一幅（長さ）に形成した説明としたが、遊技台ユニットを二台並設した遊技台ユニットとした場合、円板状体搬送装置１０も当然遊技台ユニット二台分と略同一幅（長さ）に形成したものが取り付けられる。
【００１４】
前記円板状体搬送装置１０を遊技台ユニット２の下方内部に装着（取付け）するにあたっては、円板状体搬送装置１０のメダル類受入口１６ｂを低くメダル類排出口１６ａ側を高くした傾斜状態にして遊技台枠４に設けた取付け金具にメダル類排出口１６ａ側を載せて取付ける。こうして取付けられた円板状体搬送装置１０は、隣接する円板状体搬送装置１０と連接され、メダル類排出口１６ａが隣接する円板状体搬送装置１０の端部のメダル類受入口１６ｂと順次傾斜状態で連結されていくのである。
【００１５】
次に、円板状体搬送装置１０の構成について説明する。該円板状体搬送装置１０は、搬送フレーム１２の一端と他端に従動プーリ１４とテンションプーリ１４ａ、１４ｂ、１４ｃ及び駆動プーリ１３を回転自在に軸支し、該従動プーリ１４及び駆動プーリ１３に遊技台１及び遊技媒体貸出機３を装着した遊技台ユニット２の下方内部に略同じ長さを有した傾斜状態（例えば、右上がり傾斜状態）から成る無端ベルト１５を巻回して張架させ、他端側に設けた駆動モータ１７にて駆動させるように成っている。このようにして円板状体搬送装置１０は、略中央部に設けたメダル類流入ホース１ｂと遊技台１のメダル類貯留部１ａとが連結されているため、メダル類貯留部１ａから溢れ出たメダル類Ｍはメダル類流入ホース１ｂ内を流下して無端ベルト１５上に乗載して搬送され、順次下流側に連接された円板状体搬送装置１０にて受け渡し（移り変わっていく）、搬送されるように成っている。
【００１６】
そして、最も下流側に設けた円板状体搬送装置１０のメダル類排出口１６ａの下部に設けられた円板状体回収箱３０に各遊技台１のメダル類貯留部１ａから溢れたメダル類Ｍをここに一括回収（集積）されるのである。尚、ここでの円板状体搬送装置１０は遊技台１のメダル類貯留部１ａから溢れ出たメダル類Ｍを回収する説明としたが、遊技台１（例えば、パチンコ台）と遊技媒体貸出機（例えば、貨幣台間玉貸機）に投入された円板状体の硬貨類（例えば、１００円硬貨、５００円硬貨）を回収するものとして採用しても良い。尚、遊技台１内のメダル類貯留部１ａから溢れ出たメダル類Ｍをメダル類流入ホース１ｂにて無端ベルト１５上に乗載する際、一端の従動プーリ１４側が下がっているため従動プーリ側１４端部付近にメダル類Ｍが起立した状態で残留してしまうが、一端側端部にメダル類起立防止部材（図示せず）を設けて残留を防止するようにも成っている。
【００１７】
次に、上記した円板状体搬送装置１０の他端側の任意の位置に設けた円板状体排除手段１１について説明する。円板状体排除手段１１は、円板状体搬送装置１０の他端側寄りの駆動プーリ１３の直前の任意の位置に設けるのが有効的であるが、特に設ける位置を限定するものでない。該円板状体排除手段１１は、図２及び図３に示すように、断面Ｈ形状から成る搬送フレーム１２内の搬送面１２ａに無端ベルト１５が一端の従動プーリ１４と他端の駆動プーリ１３とによって巻回して張架させている。搬送フレーム１２内の搬送面１２ａの任意の位置に矩形状の開口部１１Ａを設け、該開口部１１Ａは頂上部１５ａ及び傾斜部（傾斜面）１１ａから成る山形状に形成されている。該傾斜部の先端の両側壁１２ｂには細長孔形状した円板状体排出口１１ｂが設けられ、無端ベルト１５の搬送方向の裏面に侵入した円板状体のメダル類Ｍは開口部１１Ａの頂上部１５ａ（搬送面中心）付近でバランス（ベタ状態から下方傾斜状態）を崩し何れかの傾斜部１１ａ方向に滑動しながら落ちていき円板状体排出口１１ｂから円板状体搬送装置１０本体外（外部）に排除されるのである。尚、上記した円板状体排除手段１１の構成に限定されるものでない。
【００１８】
よって、仮に無端ベルト１５の裏面にメダル類Ｍが侵入しても直前の位置で排除されるので、駆動プーリ１３側に搬送されることがなくなり、無端ベルト１５の裏面に侵入したメダル類Ｍのために無端ベルト１５が損傷、切断したりすることなく、駆動プーリ１３も破損せず、駆動モータ１７が焼損したりするトラブル（故障）が未然に防止され、各円板状体搬送装置１０のトラブルが完全になくなり、遊技台１の使用を中止にすることなく、修復するにあたっても顧客に離席してもらう等、顧客に迷惑をかけることがなく営業することが出来るように成る。尚、図示しないが各円板状体搬送装置１０本体に設けた円板状体排除手段１１の円板状体排出口１１ｂから（外部）に排除されたメダル類Ｍはジャバラ樋等を介して円板状体回収箱等（図示せず）内に回収されるので遊技台ユニット２内で散乱することがない。また、円板状体排出口１１ｂ付近に検出手段の検出センサ（図示せず）を設け、外部の報知手段と接続すれば、円板状体排出口１１ｂから（外部）にメダル類Ｍを排除されたことが分かる。つまり、外部に報知されたことによってメダル類Ｍが排除された実態を把握することに出来る訳で円板状体搬送装置１０に張架させている無端ベルト１５が撓んでいることが発見出来、早期に修復するタイミングを図ることが出来るのである。
【００１９】
次に、遊技台ユニット２に他の実施例の円板状体搬送装置２０に設けた構成について説明する。該遊技台ユニット２の構成については上述したのでここでの説明は省略する。遊技台ユニット２の遊技台枠４内に遊技台１を設置すると該遊技台１内部のメダル類貯留部１ａから溢れた円板状体のメダル類Ｍを回収する必要がある。図５に示すように遊技台１と遊技媒体貸出機３とを配設した遊技島５の下方内部に島端の一端から他端までを一本の無端ベルト２５で張架した水平状態の円板状体搬送装置２０を下方内部に設けて回収するようにしたものである。該円板状体搬送装置２０は、両端側の遊技台枠４の側面フレームに設けた取付け金具（図示せず）にて装着自在と成すように取付けられている。
【００２０】
尚、ここでの円板状体搬送装置２０は、遊技台１内部のメダル類貯留部１ａら溢れた円板状体のメダル類Ｍを回収する用途に採用した説明としたが、遊技台枠４内の上方内部に水平状態の円板状体搬送装置２０を上方内部に設けて島端のメダル類供給部（図示せず）から各遊技台ユニット２のメダル類貯留部１ａに補給する用途に採用しても良い。
【００２１】
前記円板状体搬送装置２０を遊技台ユニット２の下方内部に水平状態に装着（取付け）するにあたっては、円板状体搬送装置２０の一端側を遊技台枠４に設けた取付け金具（図示せず）に取付け、一方、他端側は島端の取付け枠台に設けた取付け金具（図示せず）に水平状態を保つよう島長さに応じた無端ベルト２５を張架して取付ける。
【００２２】
次に、円板状体搬送装置２０の構成について説明する。該円板状体搬送装置２０は、搬送フレーム１２の一端と他端に従動プーリ２４とテンションプーリ２４ａ、２４ｂ、２４ｃ及び駆動プーリ２３を回転自在に軸支し、該従動プーリ２４及び駆動プーリ２３に遊技島５と略同じ長さを有した水平状態から成る無端ベルト２５を巻回して張架させ、他端側に設けた駆動モータ２７にて駆動させるように成っている。このようにして円板状体搬送装置２０は、略中央部に設けたメダル類流入ホース１ｂと遊技台１のメダル類貯留部１ａとが連結されているため、メダル類貯留部１ａから溢れ出たメダル類Ｍはメダル類流入ホース１ｂ内を流下して無端ベルト２５上に乗載して搬送され、順次下流側に搬送されるように成っている。そして、最も下流側に設けた円板状体搬送装置２０の下部に設けられた円板状体回収箱３０に各遊技台１のメダル類貯留部１ａから溢れたメダル類Ｍをここに一括回収（集積）されるのである。尚、ここでの円板状体搬送装置２０は遊技台１のメダル類貯留部１ａから溢れ出たメダル類Ｍを回収する説明としたが、遊技台１（例えば、パチンコ台）と遊技媒体貸出機（例えば、貨幣台間玉貸機）に投入された円板状体の硬貨類（例えば、１００円硬貨、５００円硬貨）を回収するものとして採用しても良い。尚、上記した円板状体搬送装置１０及び円板状体搬送装置２０の構成に限定されるものでない。
【００２３】
次に、上記した円板状体搬送装置２０の他端側の任意の位置に設けた円板状体排除手段１１について説明する。円板状体排除手段１１は、円板状体搬送装置２０の他端側寄りの駆動プーリ２３の直前の任意の位置や個数（ここでは、一個所）に設けるのが有効的であるが特に設ける位置や個数を限定するものでない。該円板状体搬送装置２０のように一本で長い無端ベルト２５を巻回して張架させた場合、円板状体排除手段１１を二個所（例えば、中央付近と島端付近）に設ければよりメダル類Ｍを排除させることが出来る。尚、円板状体排除手段１１は無端ベルト２５の裏面に侵入した円板状体であるメダル類Ｍや硬貨類を排除させるものであるが、時には無端ベルト２５の裏面にネジや研磨粒の異物等も侵入するときもあるが、該円板状体排除手段１１によって排除される。前記円板状体排除手段１１の詳細な説明については上述したのでここでの説明は省略する。
【００２４】
よって、仮に無端ベルト２５の裏面にメダル類Ｍが侵入しても直前の位置で排除されるので、駆動プーリ２３側に搬送されることがなくなり、無端ベルト２５の裏面に侵入したメダル類Ｍのために無端ベルト２５が損傷、切断したりすることなく、駆動プーリ２３も破損せず、駆動モータ２７が焼損したりするトラブル（故障）が未然に防止され、円板状体搬送装置２０のトラブルが完全になくなり、遊技台１の使用を中止にすることなく、修復するにあたっても顧客に離席してもらう等、顧客に迷惑をかけることがなく営業することが出来るように成る。尚、図示しないが円板状体搬送装置２０本体に設けた円板状体排除手段１１の円板状体排出口１１ｂから（外部）に排除されたメダル類Ｍはジャバラ樋等を介して円板状体回収箱等（図示せず）内に回収されるので遊技島５内で散乱することがない。また、円板状体排出口１１ｂ付近に検出手段の検出センサ（図示せず）を設け、外部の報知手段と接続すれば、円板状体排出口１１ｂから（外部）にメダル類Ｍを排除されたことが分かる。つまり、外部に報知されたことによってメダル類Ｍが排除された実態を把握することに出来る訳で円板状体搬送装置２０に張架させている無端ベルト２５が撓んでいることが発見出来、早期に修復するタイミングを図ることが出来るのである。
【図面の簡単な説明】
【００２５】
【図１】遊技台ユニットを並設した遊技島に該遊技台ユニットと略同一長さの円板状体搬送装置を備えた正面図である。
【図２】円板状体搬送装置に設けた円板状体排除手段の断面図である。
【図３】円板状体搬送装置に設けた円板状体排除手段の状態斜視図である。
【図４】円板状体搬送装置の円板状排除手段以外の断面図である。
【図５】遊技台ユニットを並設した遊技島に該遊技島と略同一長さの円板状体搬送装置を備えた正面図である。
【符号の説明】
【００２６】
１ 遊技台（例えば、パチスロ台）
２ 遊技台ユニット
３ 遊技媒体貸出機（例えば、台間メダル類貸出機）
４ 遊技台枠
１０ 円板状体搬送装置
１１ 円板状体排除手段
１１Ａ 開口部
１１ａ 傾斜部
１１ｂ 円板状体排出口
１２ 搬送フレーム
１２ａ 搬送面
１３ 駆動プーリ（他端側）
１４ 従動プーリ（一端側）
１５ 無端ベルト
１７ 駆動モータ
２０ 円板状体搬送装置
２５ 無端ベルト
Ｍ 円板状体（例えば、メダル類）
【図１】
2006314825.tif 000003
【図２】
2006314825.tif 000004
【図３】
2006314825.tif 000005
【図４】
2006314825.tif 000006
【図５】
2006314825.tif 000007